(57)【要約】歯科用器具として利用される歯内やすり(2)は、少なくとも１つのコード(6)を有する。ワイヤ(8)は、そして、研磨外面(10)を有するコードの少なくとも大部分に巻回されている。握持部(18)を有するハンドル(4)は、やすりのエッジを握持するために提供されて、振動吸収材料でできていてるカプラー(16)によってやすりに連結されている。ワイヤの外面は、アルミナ、炭化けい素、ジルコニウムまたはダイヤモンド粉を含むグループから選択される研摩粒子を含んでいるバインダで覆われている。【選択図】図9a
2010518956.tif 000002
【特許請求の範囲】
【請求項１】
歯科用器具として利用される歯内やすり(2)であって、
少なくとも１つのコード(6)およびコードの少なくとも大部分の周りに巻回されかつ研磨外面(10)を有するワイヤ(8)と、
やすりの端部を握持するための握持部(18)を有するハンドル(4)と、
ハンドルをやすりに連結するためのカプラー(16)と、
を備えているやすり。
【請求項２】
請求項１に記載のやすりであって、
ワイヤの外面は、アルミナ、炭化けい素、ジルコニウムまたはダイヤモンド粉を含むグループから選択される研摩粒子を含んでいるバインダで覆われているやすり。
【請求項３】
請求項1または2に記載のやすりであって、
断面が、細い端部を形成するように先細りになっているやすり。
【請求項４】
請求項1〜3のいずれか１つに記載りのやすりであって、
端部が、尖っているやすり。
【請求項５】
請求項1〜4のいずれか１つに記載のやすりであって、
前記コードは、複数の糸により構成されているやすり。
【請求項６】
請求項５に記載のやすりであって、
前記糸は、撚られているやすり。
【請求項７】
請求項1〜6のいずれか１つに記載のやすりであって、
前記コードは、円形の横断面を有しているやすり。
【請求項８】
請求項１に記載のやすりであって、
前記コードは、多角形の横断面を有しているやすり。
【請求項９】
請求項１に記載のやすりであって、
前記カプラーは、振動吸収材料でできているやすり。
【請求項１０】
請求項１に記載のやすりであって、
前記ハンドルは、歯内ハンドピースに解放可能に取付られるように構成されたヘッド部(20)を含んでいるやすり。
【請求項１１】
請求項1〜10のいずれか１つに記載のやすりであって、
粗い外面(10)の少なくとも一部は、粗いコーティング（31）を有するやすり。
【請求項１２】
請求項1〜11のいずれか１つに記載のやすりであって、
ワイヤ(8)の交互の螺旋を覆う断続的コーティングを有しているやすり。
【請求項１３】
請求項1〜12のいずれか１つに記載のやすりであって、
コード(6)は、多重ストランド可撓性コアケーブルで形成されているやすり。
【請求項１４】
請求項1〜12のいずれか１つに記載のやすりであって、
コード(6)は、単一ストランド可撓性コアケーブルで形成されているやすり。
【請求項１５】
請求項1〜14のいずれか１つに記載のやすりであって、
コアケーブルの自由端部は、覆われ無いで、小球（35）を形成するためにレーザー処理が施されているやすり。
【請求項１６】
請求項15によるやすりであって、
コアケーブルの覆いの無い自由端部は、アルミナ、炭化けい素、ジルコニウムまたはダイヤモンド粉を含むグループから選択される研摩粒子を含んでいるバインダで、少なくとも部分的に覆われているやすり。
【請求項１７】
請求項1〜16のいずれか１つに記載のやすりであって、
外側の螺旋(8)は、ピッチを変化させて巻回されているやすり。
【発明の詳細な説明】
【技術分野】
【０００１】
本発明は、歯内装置、より詳しくは、歯科用器具として利用される歯内やすりに関する。
【背景技術】
【０００２】
本出願人による、名称「歯内装置およびその使用方法および製造方法」に係る特許文献１は、歯根管の清掃、やすりがけ、リーマ仕上げのための歯内装置を開示する。前記装置は、エッジ、加工部、接続部およびこれらを接続したカップリング頭部を有する１つ以上の金属的、可撓性ストランドを含む。ストランドは、加工部に沿って、研摩粒子を埋められたバインダの薄層でコーティングされている。特許文献１により開示されるやすりにおいて、可撓性縦材ストランドは、その外面が活発なやすり面として役立つように造られている。特許文献１の内容全部は、本願明細書に引用したものとする。
【先行技術文献】
【特許文献】
【０００３】
【特許文献１】US-A1-20070099149
【発明の概要】
【課題を解決するための手段】
【０００４】
本発明によれば、歯科用器具として利用される歯内やすりが提供され、前記歯内やすりは、少なくとも１つのコードおよびコードの少なくとも大部分の周りに巻回されたワイヤを備えており、前記ワイヤは、研磨外面を有している。
【０００５】
本発明によるやすりの構造は、その長手方向剛性または安定性を殆ど減弱させて可撓性をやすりに与えている。この特徴は、その使用方法、すなわち、やすりを処置される歯根管に導入する方法を決定づける。従来技術のやすりは、軸方向にやすりを歯根管に押し込むことによって歯根管に嵌入されるのに対して、本発明によるやすりは、回転運動を与えることにより嵌入される。やすりの案内エッジが歯根管の頂点に接近するときに、やすりは根管の狭い壁によって捕捉され、そして、更なる進入を予防し、それによって、頂点組織を接触して、歯根管を越えてやすり部材の進入で傷付けることから保護する。
【０００６】
本発明によるやすりの相当な柔軟性のために、それが根管の輪郭に密接して追従するので、象牙質層を傷付けることなく、やすりは屈曲状歯根管を掃除することに有効である。
【図面の簡単な説明】
【０００７】
【図１】本発明の一実施例による、歯内やすりの等角図である。
【図２】本発明の一実施例による、やすりの縦断面図である。
【図３Ａ】やすりのコアケーブルに巻付けられるコードの横断面図である。
【図３Ｂ】やすりのコアケーブルに巻付けられるコードの別の横断面図である。
【図３Ｃ】やすりのコアケーブルに巻付けられるコードのさらなる別の横断面図である。
【図４】図1に示されるやすりのエッジの拡大等角図である。
【図５】セレーションを示しているやすりの拡大図である。
【図６】図2に示されるやすりのエッジの拡大縦断面図である。
【図７ａ】本発明の別の実施例よる、やすりの加工部の詳細を示している絵画表現である。
【図７ｂ】図7aに示す加工部の端面図である。
【図７ｃ】図7aに示す加工部の螺旋コーティングを示す絵画表現である。
【図８】断続的な粗さのあるコーティングを有するやすりの加工部の詳細を示している絵画表現である。
【図９ａ】多重ストランド可撓性コアケーブルを有するやすりの加工部の縦断面を示している絵画表現である。
【図９ｂ】多重ストランド可撓性コアケーブルを有するやすりの加工部の外面を示している絵画表現である。
【図１０ａ】本発明の別の実施例による、やすりの加工部の詳細を示している絵画表現である。
【図１０ｂ】図10aに示すやすりの加工部の拡大詳細を示している絵画表現である。
【図１１ａ】図11bに示すやすりの加工部の拡大詳細を示している絵画表現である。
【図１１ｂ】本発明の別の実施例による、やすりの加工部の詳細を示している絵画表現である。
【図１１ｃ】図11dに示すやすりの加工部の拡大詳細を示している絵画表現である。
【図１１ｄ】本発明の別の実施例による、やすりの別の加工部の詳細を示している絵画表現である。
【発明を実施するための形態】
【０００８】
以下の幾つかの実施例の説明において、複数の図において現れるか、類似した機能性を共有する同一の構成要素は、同一の符号により参照される。
【０００９】
図1および2は、歯科用器具として利用される歯内やすり2を示している。歯科用器具とは、例えば、やすりハンドル4および／またはハンドピースであり、これは、例えば歯科医のドリル（図示せず）に利用され、それに、ハンドル4は解放可能に取付可能である。やすり2は、コード6およびコード6にきつくまたはゆるく巻付けられたワイヤまたは撚りワイヤ8よりなる。コード6は、図3A図および図6に示すように、撚りストランドでできているケーブル、例えば、ステンレス鋼ワイヤの単一ワイヤからなり、横断面円形（図3B）、または、横断面多角形（図3C）のものである。コード・ケーブル6の周りに、ワイヤまたは撚りワイヤ8は巻回され、これは、例えば、ステンレス鋼でできていて、0.2−0.3mmの直径を有しており、使用の間、コード6に柔軟性および耐久性を与える。巻回または撚りワイヤ8の外面10は、研磨面を形成して粗くなっている（図4）。とくに、微少窪みおよび／または突起12を形成して、粗くすることは、溝またはセレーション14（図5）、切れ込み、かき傷等として構成され、ワイヤ8全体に長手方向および／または斜め方向に伸びている。粗くすることは、サンドブラストによって、または他のプロセスで実行される。この種の方法は、上述した特許文献１に記載されている方法を使用して、都合よく提供され、そこにおいて、ワイヤ8の外面10は、研磨層で覆われる。研磨層は、例えば、バインダ、例えば、研摩粒子を含んでいる薄いニッケル・バインダからなり、その粒子は、アルミナ、炭化けい素、ジルコニウムまたはダイヤモンド粉を含むグループから選択される。撚りワイヤ8が用いられるときに、その外面10が必ずしも更に粗くする必要は無く、その理由は、撚り自体が、使用の間、研磨作用を提供する斜めに伸びている溝を提供するからである。やすりの断面は、有利には、細い端部Eを形成するようにテーパをなしている。付加的または選択的に、端部Eは、歯の根管への進入を容易にするように、例えば、研磨または他の研削によって尖らされる。任意には、エッジEは、やすりの他の効果的部分と同様に、ゴールドで薄く被覆される。
【００１０】
更に図1および2に示すように、やすり2は、周知の技術によってハンドル4に取付られ、有利には、やすり2の一部を握持するための握持部を構成するテーパノーズ18を有する振動吸収材料によって作られたカプラー16を提供される。類似した装置は、特許文献１に記載されている。
【００１１】
ハンドル4は、また、やすりに回転運動を与えるための歯内ハンドピースに解放可能に取付られるように構成されたヘッド部20を形成していてもよい。
【００１２】
図7a、7bおよび7cは、本発明の別の実施例による、やすりの加工部30の詳細を示している絵画表現である。図7aにおいて、加工部30は、単一ストランド・コアコード6を備えており、その周りには螺旋ワイヤ8が巻回され、その表面の少なくとも一部には粗いコーティング31が施されている。図7bは、やすりの加工部30の端面図を示し、ワイヤ8の外面に切られた垂直切欠または溝が示されており、それによって、傾斜したＶ字形表面を形成して、エッジ33が刃物として役立つために鋭くされている。図7cにおいて、断続的な螺旋コーティングが、交互の螺旋をカバーするために用いられている。
【００１３】
図8は、加工部30の詳細を示している絵画表現であり、その端部には、図7a〜7cに示された実施例のいずれかによる、断続的な粗いコーティングを有する。
【００１４】
図9aおよび9bは、やすりの加工部30の縦断面および外面をそれぞれ示す絵画表現であり、そのコード4は、多重ストランド柔軟性コアケーブルで作られ、その周りには、上記実施例のいずれかによる、螺旋ワイヤ8が巻回されている。2〜4mm間の長さを有するコアケーブルの自由端部は、覆われ無いで、歯根管に通じる道を切るときに先導役の小球35を形成するようにレーザ処理されている。
【００１５】
図10aおよび10bは、外側螺旋8のピッチを変化させることに関するやすりの加工部の詳細を示している絵画表現である。このように、歯科用ドリルまたはハンドピースが取付られる後端部では、隣接する螺旋が接近し、一方、作業エッジの方へ向かっては、それらが離れていることを知らされる。
【００１６】
図11a、11b、11cおよび11dは、図10aおよび10bの図示した実施例に類似して、螺旋のピッチを変化させたやすりの加工部の詳細を示する絵画表現である。
【００１７】
本発明が前述の例示の実施例の詳細に限られていないことが、そして、本発明が趣旨またはそれの本質的属性から逸脱することなく、他のいろいろな形で実施されることができることが、当業者に明らかである。例示的であり限定的でない様に、本実施例は従って、あらゆる点で考慮されることになっている。そして、本発明の範囲がむしろ添付の請求の範囲によって、前述の説明および全てによって、意味および請求項の同等の範囲内の変更が、そこにおいて、受け入れられることが示される。
【産業上の利用可能性】
【００１８】
本発明による歯内やすりは、歯科用器具として利用されることに適している。
【符号の説明】
【００１９】
(2)  歯内やすり
(4)  ハンドル
(6)  コード
(8)  ワイヤ
(10)  研磨外面
(16)  カプラー
(18)  握持部
【図１】
2010518956.tif 000003
【図２】
2010518956.tif 000004
【図３Ａ】
2010518956.tif 000005
【図３Ｂ】
2010518956.tif 000006
【図３Ｃ】
2010518956.tif 000007
【図４】
2010518956.tif 000008
【図５】
2010518956.tif 000009
【図６】
2010518956.tif 000010
【図７ａ】
2010518956.tif 000011
【図７ｂ】
2010518956.tif 000012
【図７ｃ】
2010518956.tif 000013
【図８】
2010518956.tif 000014
【図９ａ】
2010518956.tif 000015
【図９ｂ】
2010518956.tif 000016
【図１０ａ】
2010518956.tif 000017
【図１０ｂ】
2010518956.tif 000018
【図１１ａ】
2010518956.tif 000019
【図１１ｂ】
2010518956.tif 000020
【図１１ｃ】
2010518956.tif 000021
【図１１ｄ】
2010518956.tif 000022
【国際調査報告】
2010518956.tif 000023
2010518956.tif 000024